(57)【要約】【課題】構造、着脱の簡単な不通気性の部分による吸入風制御の技術を踏襲しながら、不通気性の部分による圧損を回避ないしは抑制できる電気掃除機用集塵袋を提供する。【解決手段】吸入口１を有する吸入口側袋壁５と、吸入口１に対向する被吸引側袋壁２と、吸入口１と被吸引側袋壁２との間を形成する側周袋壁４と、被吸引側袋壁２上に吸入口へ向いて突出して形成された軸６ｘとを備え、吸入口１から吸入される吸入風を側周袋壁４に向け分流させ、側周袋壁４に沿って吸入口側袋壁５に向かう反転気流を生じさせる突出部４００を有する円盤状の気流制御ガイド６を軸６ｘに回転自在に設けたもので、気流制御ガイド６の突出部４００により、吸入口１から流入する吸入風を、その中央部から側周袋壁側に向け上下、左右といった２つ以上の特定方向または全周に高い分流勢力で分流させて、吸入口側袋壁５に向かって強い反転気流を発生させて、集塵性能を向上できる。【選択図】図３
2011244975.tif 000002
【特許請求の範囲】
【請求項１】
塵埃を含む吸入風が流入する吸入口を有する吸入口側袋壁と、前記吸入口に対向する被吸引側袋壁と、前記吸入口と前記被吸引側袋壁との間を形成する側周袋壁と、前記被吸引側袋壁上に前記吸入口へ向いて突出して形成された軸とを備え、前記吸入口から吸入される吸入風を前記側周袋壁に向け分流させ、前記側周袋壁に沿って前記吸入口側袋壁に向かう反転気流を生じさせる突出部を有する円盤状の気流制御ガイドを前記軸に回転自在に設けた電気掃除機用集塵袋。
【請求項２】
突出部は、気流制御ガイドの中央部から外周に向けて、時計方向あるいは反時計方向に湾曲した峰部を持ち、前記峰部からその両側根本部または周辺に向けた凹曲面を含んで低くなる山状突部であり、前記峰部の湾曲の凹側面を、凸側面より急勾配に形成してなる請求項１に記載の電気掃除機用集塵袋。
【請求項３】
気流制御ガイドは、吸入口に対し直径比で±１５％の大きさである請求項１又は２に記載の電気掃除機用集塵袋。
【請求項４】
請求項１〜３のいずれか１項に記載の電気掃除機用集塵袋を収納する集塵室を備えた電気掃除機。
【発明の詳細な説明】
【技術分野】
【０００１】
本発明は、電気掃除機用集塵袋とそれを用いた電気掃除機に関するものである。
【背景技術】
【０００２】
従来の電気掃除機用集塵袋（以下「集塵袋」という）とそれを用いた電気掃除機として、下記の特許文献１、２に開示されたものがある。
【０００３】
特許文献１には、集塵室に収納した集塵袋の吸入口からの吸入風の向きを、吸入口の軸線に対して斜めに偏心させることで、吸入風を吸入口と対向する被吸引側袋壁に向け、側周袋壁に沿うスパイラル流を形成するようにした集塵袋と電気掃除機が開示されている。吸入風のスパイラル流は、吸入風に随伴する塵埃を遠心分離し、側周袋壁への集塵率を高める。その結果、集塵率と、被吸引側での目詰まり防止効果の向上が図れる。
【０００４】
また、特許文献２には、平面状の熱可塑性プラスチックシートを集塵袋の被吸引側袋壁の外面に熱溶着した集塵袋が開示されている。この場合、熱可塑性プラスチックシートは、集塵袋の吸入口よりも大きな不通気性の部分を形成する。そして、この不通気性の部分により、吸入口から集塵袋内に吸入されてくる吸入風は、中央部からそのまわりの側周袋壁側に向け分流され、側周袋壁に沿って吸入口側袋壁に向うように反転させられる。この吸入風の前記反転時の反転勢力によって吸入風に随伴する塵埃を、吸入口側に持ち運び集塵することで、集塵率と、被吸引側での目詰まり防止効果の向上を図っている。
【先行技術文献】
【特許文献】
【０００５】
【特許文献１】特開２００２−２９１６６３号公報
【特許文献２】特開昭６０−３４４２３号公報
【発明の概要】
【発明が解決しようとする課題】
【０００６】
しかしながら、上記特許文献１に開示されたような従来の集塵袋の構成では、吸入風のスパイラル流が集塵袋の吸入口から被吸引側に向かうので、その際の遠心作用により側周袋壁への集塵率を高められるが、その動圧の影響で、塵埃が被吸引側袋壁の側に持ち運ばれやすく、集塵率は、特許文献１中に図示されているように吸入口側よりも被吸引側で高い。
【０００７】
また、送風機室側からの吸引口域では、塵埃が集塵されていないようにも示されている。しかし、遠心分離されなかった塵埃は、被吸引側袋壁の吸入口との対向域で捕捉されることになる筈で、被吸引側の比較的広い範囲で目詰まりしやすい傾向がある。さらに、吸入風が集塵袋内に偏心しながら吸入されるための特別なガイド構造が必要になる。このような特別なガイド構造は、コスト上昇の原因になるし、また、集塵袋の収納作業において特別な手間が必要になり、利便性の低下の原因にもなる。
【０００８】
また、特許文献２に開示されたような従来の集塵袋は、集塵袋の被吸引側に吸入口よりも大きい不通気性の部分を設けただけで、構造および着脱が簡単で、吸入風を吸入口側袋壁に向けに反転させることにより被吸引側での集塵率を抑えた分だけ、被吸引側での目詰まりを防止しやすいといえる。しかし、不通気性の部分は、集塵袋の被吸引側の通気域を大きく塞いでしまうので圧損を招く。
【０００９】
また、通気面積が少なくなる分だけ目詰まりの原因ともなる。さらに、圧損は設計上、送風機の容量増大、吸引能力低下という課題となってより大きな影響となる。なぜなら、不通気性の部分による通気面積不足を、集塵袋の不通気性の部分域以外で確保しようとすると、集塵袋総面積の増大、大型化、コスト上昇の原因になるし、嵩低くするには蛇腹状に保形するなど集塵袋側や集塵室側でさらなる工夫が必要になるからである。
【００１０】
本発明は、このような従来の課題を解決するもので、構造、着脱の簡単な不通気性の部分による吸入風制御の技術を踏襲しながら、不通気性の部分による圧損を回避ないしは抑制して、集塵性能を向上させた電気掃除機用集塵袋とそれを用いた電気掃除機を提供することを目的とするものである。
【課題を解決するための手段】
【００１１】
上記のような従来の課題を解決するために、本発明の電気掃除機用集塵袋は、塵埃を含む吸入風が流入する吸入口を有する吸入口側袋壁と、前記吸入口に対向する被吸引側袋壁と、前記吸入口と前記被吸引側袋壁との間を形成する側周袋壁と、前記被吸引側袋壁上に前記吸入口へ向いて突出して形成された軸とを備え、前記吸入口から吸入される吸入風を前記側周袋壁に向け分流させ、前記側周袋壁に沿って前記吸入口側袋壁に向かう反転気流を生じさせる突出部を有する円盤状の気流制御ガイドを前記軸に回転自在に設けたもので、気流制御ガイドは、集塵袋の吸入口から吸入されてくる吸入風を、ガイド面で受けることにより、受けた吸入風をガイド面形状に応じ中央部から側周袋壁側に向け上下、左右といった２つ以上の特定方向または全周に分流させる。特に、ガイド面が少なくとも中央部吸入口側に向く突出部を有することにより、平坦面の場合よりも高い分流勢力を保って側周袋壁に十分に達してそれに沿い吸入口側袋壁に向うように反転するより強い勢力の反転気流を発生させられるので、集塵性能の向上が図れる。
【００１２】
又、本発明の電気掃除機は、請求項１〜３のいずれか１項に記載の電気掃除機用集塵袋を収納する集塵室を備えたもので、集塵性能の良い電気掃除機を提供することができる。
【発明の効果】
【００１３】
本発明の電気掃除機用集塵袋は、反転気流の反転直後の高い初期勢力によって、吸入風に随伴する塵埃の中でも、大きく、重いものは被吸引側袋壁の前を通過させるので、被吸引側袋壁側よりも、側周袋壁の吸入口側で集塵されやすくなる。また、小さく軽いために吸入風に最後まで随伴しやすい微塵は、反転気流の動圧の影響を受けない被吸引側袋壁の気流制御ガイドまわりと側周袋壁とのコーナ部がなす空気の淀み領域や、弱勢力となる特定の分流方向の間の空間、勢力の減衰によって影響が低下した側周袋壁内面の近傍領域で効率よく補足される。
【００１４】
これらの結果、高い、集塵率と、被吸引側袋壁の目詰まり防止効果とを満足することができる。特に、気流制御ガイドのガイド面が、少なくとも中央部に有した吸入口側に突出した突出部を有すると、風切り作用によって、吸入風をスムーズに分流させる。結果、吸入風は、平坦面の場合よりも高い分流勢力を保って側周袋壁に十分に達し、側周袋壁に沿って吸入口側袋壁に向うように反転する強い勢力の反転気流を発生させることができる。これにより、気流制御ガイドを吸入口の開口に近い大きさまで小さくして集塵袋の通気域を増大して目詰まりしにくくし、また、気流制御ガイドによる圧損を十分に抑えながら、高い集塵率と、被吸引側袋壁の目詰まり防止効果を十分に満足することができ、圧損を抑えられる分だけ電動送風機の容量アップや集塵袋の大型化を抑えられる。
【図面の簡単な説明】
【００１５】
【図１】（ａ）本発明の実施の形態１における電気掃除機用集塵袋の正面図、（ｂ）同電気掃除機用集塵袋の断面図
【図２】同電気掃除機用集塵袋の使用状態を透視状態で示す斜視図
【図３】（ａ）同電気掃除機用集塵袋を電気掃除機の掃除機本体の集塵室に収納した状態での縦断面図、（ｂ）同電気掃除機用集塵袋の要部横断面図
【図４】同電気掃除機本体の集塵室を開き、収納している集塵袋を透視状態で示す斜視図
【図５】同電気掃除機の全体斜視図
【図６】同電気掃除機用集塵袋の要部拡大断面図（気流制御ガイドの付着周辺部または付着周辺部を含む対向面を平坦としたときの非付着域が通気部として働く状態の説明図）
【図７】湾曲した隆起部を有する気流制御ガイドを設けた電気掃除機用集塵袋の使用状態を透視して示す斜視図
【図８】気流制御ガイドの被吸引側に突出した脚リブにて被吸引側袋壁に付着し双方間に通気部を形成した電気掃除機用集塵袋の使用状態を透視して示す斜視図
【図９】同電気掃除機用集塵袋の通気圧力損失特性を比較して示すグラフ
【図１０】ごみによる風量低下率特性を比較して示すグラフ
【発明を実施するための形態】
【００１６】
第１の発明は、塵埃を含む吸入風が流入する吸入口を有する吸入口側袋壁と、前記吸入口に対向する被吸引側袋壁と、前記吸入口と前記被吸引側袋壁との間を形成する側周袋壁と、前記被吸引側袋壁上に前記吸入口へ向いて突出して形成された軸とを備え、前記吸入口から吸入される吸入風を前記側周袋壁に向け分流させ、前記側周袋壁に沿って前記吸入口側袋壁に向かう反転気流を生じさせる突出部を有する円盤状の気流制御ガイドを前記軸に回転自在に設けたもので、気流制御ガイドは、集塵袋の吸入口から吸入されてくる吸入風を、ガイド面で受けることにより、受けた吸入風をガイド面形状に応じ中央部から側周袋壁側に向け上下、左右といった２つ以上の特定方向または全周に分流させる。特に、ガイド面が少なくとも中央部吸入口側に向く突出部を有することにより、平坦面の場合よりも高い分流勢力を保って側周袋壁に十分に達してそれに沿い吸入口側袋壁に向うように反転するより強い勢力の反転気流を発生させられるので、集塵性能の向上が図れる。
【００１７】
第２の発明は、特に、第１の発明の突出部は、気流制御ガイドの中央部から外周に向けて、時計方向あるいは反時計方向に湾曲した峰部を持ち、前記峰部からその両側根本部または周辺に向けた凹曲面を含んで低くなる山状突部であり、前記峰部の湾曲の凹側面を、凸側面より急勾配に形成してなるもので、吸入口からの気流を前記峰部の湾曲の凹側面に受けて高速で回転する。この回転により吸入口からの気流とともに運ばれてきた塵埃は、前記峰部の湾曲の特に凸側面に衝突をした場合に遠心力によって気流ガイドの外周遠方へと弾き飛ばされ、前記吸入口側袋壁へ向かう力を発生させやすいものとなる。
【００１８】
また、気流制御ガイドは、吸入口から被吸引側袋壁の方向への空気の流れに対しては、ある程度の通気抵抗となる。従って、吸引口から集塵袋に入った吸入風は、直接被吸引側袋壁からは抜けにくい。言い換えると、吸入風は、気流制御ガイドがない場合と比較して、より集塵袋全体から抜けやすい。すなわち、集塵袋に対する吸引力は、被吸引側袋壁の気流制御ガイドまわりと側周袋壁とのコーナ部がなす空気の淀み領域や、弱勢力となる特定の分流方向の間の空間、また勢力の減衰によって吸引力の影響が低下した側周袋壁内面の近傍領域にも及ぶ。
【００１９】
第３の発明は、特に、第１又は第２の発明の気流制御ガイドは、吸入口に対し直径比で±１５％の大きさとしたもので、気流制御ガイドが集塵袋の被吸引側袋壁を不通気に塞ぎまたは通気抵抗増大部とする面積を小さくおさえ、しかも、ガイド面が少なくとも中央部に吸入口側への突出部を有して吸入風を平坦面の場合に比し高い勢力を保って分流させるので、反転気流による吸入口側への塵埃の持ち運び勢力を確保しやすい。
【００２０】
第４の発明に係る電気掃除機は、請求項１〜３のいずれか１項に記載の電気掃除機用集塵袋を収納する集塵室を備えたもので、集塵性能の良い電気掃除機を提供することができる。
【００２１】
以下、本発明の実施の形態について、図面を参照しながら説明する。なお、この実施の形態によって本発明が限定されるものではない。
【００２２】
（実施の形態１）
本発明の実施の形態１における電気掃除機用集塵袋の幾つかの具体例と、それを用いた電気掃除機の１つの具体例について図１〜図１０を参照しながら以下に説明し、本発明の理解に供する。以下の説明は、本発明の具体例であって、特許請求の範囲を限定するものではない。
【００２３】
本発明の電気掃除機用集塵袋の実施の形態は、図１〜図４に示す例、図６に示す例、図７に示す例、図８に示す例の集塵袋１００で代表して示す。
【００２４】
図１（ａ）は、本実施の形態における電気掃除機用集塵袋の正面図、図１（ｂ）は、同電気掃除機用集塵袋の断面図、図２は、同電気掃除機用集塵袋の使用状態を透視状態で示す斜視図、図３（ａ）は、同電気掃除機用集塵袋を電気掃除機の掃除機本体の集塵室に収納した状態での縦断面図、図３（ｂ）は、同電気掃除機用集塵袋の要部横断面図、図４は、同電気掃除機本体の集塵室を開き、収納している集塵袋を透視状態で示す斜視図である。
【００２５】
図１〜４において、本実施の形態における電気掃除機用集塵袋１００（以下「集塵袋１００」という）は、吸入口１に対向する被吸引側袋壁２に、円盤状の気流制御ガイド６を回転自在に設けたものである。この気流制御ガイド６は、少なくとも中央部に吸入口１側に向く突出部４００を有し、突出部４００は、前記気流制御ガイド６の中央部から外周に向けて、時計方向あるいは反時計方向のどちらか一方向に湾曲した峰部６ｈを持ち、前記峰部６ｈから、その両側根本部または周辺に向けた凹曲面を含んで低くなる山状突部であり、前記峰部６ｈの湾曲の凹側面は、凸側面より急勾配に形成している。
【００２６】
また、気流制御ガイド６は、先端に返し形状を有する軸６ｘに円周方向に回転自在に軸支されている。この突出部４００は、受けた吸入風３を中央部からそのまわりの左右、上下といった２以上の特定方向または全周に側周袋壁４に向け分流させた後、側周袋壁４に沿って吸入口側袋壁５に向かう反転気流３ａを生じさせる。さらには、気流制御ガイド６の湾曲している峰部６ｈの凹側の面は、凸側面より急勾配に形成しているため、集塵袋１００の吸入口１から吸入されてくる吸入風３によって凸側へ押されて回転力が生まれる。
【００２７】
このように、気流制御ガイド６は、集塵袋１００の吸入口１から吸入されてくる吸入風３を、ガイド面６ｄで受け、受けた吸入風３をガイド面６ｄの形状に応じて中央部から側周袋壁４側に向け左右、上下といった２以上の特定方向または全周に分流させる。特に、ガイド面６ｄが少なくとも中央部に吸入口１側に向く突出部４００を有することにより、平坦面の場合よりも高い分流勢力を保って側周袋壁４に十分に達し、側周袋壁４沿いに吸入口側袋壁５に向うように反転する強い勢力の反転気流３ａを発生させられる。
【００２８】
また、気流制御ガイド６は、吸入口１から被吸引側袋壁２の方向の空気の流れに対しては、ある程度の通気抵抗となる。従って、吸入口１から集塵袋１００に入った吸入風３は、直接、被吸引側袋壁２からは抜けにくい。言い換えると、吸入風３は、気流制御ガイド６がない場合と比較して、より集塵袋１００全体から抜けやすい。
【００２９】
すなわち、集塵袋１００に対する吸引力は、被吸引側袋壁２の気流制御ガイド６まわりと側周袋壁４とのコーナ部９がなす空気の淀み領域１１や、弱勢力となる特定の分流方向の間の空間、また勢力の減衰によって吸引力の影響が低下した側周袋壁４内面の近傍領域にも及ぶ。さらに気流制御ガイド６は、吸入風３を受けて、軸６ｘを回転軸として旋回するため、気流制御ガイド６の峰部６ｈの凸側面に衝突した塵埃は、気流制御ガイド６の回転力で遠心方向へ弾き飛ばされて集塵することとなる。
【００３０】
そして、反転気流３ａの反転直後の高い初期勢力によって、吸入風３に随伴する塵埃３８の中でも、大きく、重いものは、被吸引側袋壁２の前を通過させるので、被吸引側袋壁２側よりも、側周袋壁４の吸入口１側で集塵されやすくなる。また、小さく軽いために吸入風３に最後まで随伴しやすい微塵は、反転気流３ａの動圧の影響を受けない被吸引側袋壁２の気流制御ガイド６まわりと側周袋壁４とのコーナ部９がなす空気の淀み領域１１や、弱勢力となる特定の分流方向の間の空間、勢力の減衰によって影響が低下した側周袋壁４内面の近傍領域で補足される。
【００３１】
この結果、集塵効率と、被吸引側袋壁２の目詰まり防止効果とを十分に満足した上で、通気面積減少による早詰まりや、気流制御ガイド６による圧損を回避ないしは抑制することができる。従って、圧損に対応するための電動送風機２１の容量増大や集塵袋１００の大型化は、解消ないしは軽減される。
【００３２】
より具体的には、気流制御ガイド６の大きさは、吸入口１に対し、直径比で±１５％程度の大きさに制限する。このようにすることで、気流制御ガイド６を取り付けたために、集塵袋１００の被吸引側袋壁２における通気抵抗の増大を小さく抑え、しかも、比較的大きな塵埃を、吸入口側袋壁５まで運ぶ反転気流３ａを発生させることができる。
【００３３】
気流制御ガイド６は、通気抵抗にもなるため、大きすぎると圧損の原因となり、小さすぎると本発明で意図する反転気流３ａが発生しない。気流制御ガイド６の大きさを、上記のようにすることで、集塵率と、被吸引側袋壁２側の目詰まり防止効果を高めやすい利点がある。
【００３４】
なお、山状突部６ｉの峰部６ｈから裾部への湾曲半径は、気流制御ガイド６の直径の１０〜９０％、峰のガイド面６ｄの外周位置からの高さは、同直径の１０〜１５％がよい。具体例としては、図９に示す通気圧力損失の実験結果（ａ）、図１０に示す風量低下率実験結果（ａ）での数値データを近似してイレギュラーなデータを排除して見た傾向性から、直径は、４５ｍｍ〜６０ｍｍが好適である。また、図９に示す通気圧力損失の実験結果（ｂ）、図１０に示す風量低下率実験結果（ｂ）での数値データを近似してイレギュラーなデータを排除して見た傾向性から、曲率半径は５〜４０ｍｍ、高さは６ｍｍ〜８ｍｍが好適である。
【００３５】
以上の結果、通気抵抗が増大するのを抑えながら、集塵率と、被吸引側袋壁２の目詰まり防止効果とを高めることができる。この場合、図１〜図４に示す例では、気流制御ガイド６をガイド面６ｄ側から見た正面形状を円形に形成してあるが、集塵袋１００の使用時の横断面形状に近い、あるいは相似な正面形状にすると、側周袋壁４までの距離に比例したガイド面６ｄの長さで、吸入風３の分流による案内を行うことができる。
【００３６】
図示例のように、気流制御ガイド６の正面形状が円形である場合、その直径は、図１に示すように口紙２８に形成した吸入口１の直径の±１５％として十分である。吸入口１の直径５２ｍｍが標準であることを考慮すると、気流制御ガイド６の直径は４５ｍｍ〜６０ｍｍとすることができる。しかし、気流制御ガイド６の直径を、吸入口１の直径（５２ｍ
ｍ）以下にすると、図１（ｂ）に示すように表裏の袋材１００ａ、１００ｂが密着し合う折り畳み状態で、気流制御ガイド６が吸入口１と嵌り合うので、それが立体形状であっても集塵袋１００の折り畳み状体での嵩が高くならないか、嵩高くなるのを抑えられる。すなわち、袋に入れて適数枚、例えば３枚セットにしたものを、適数組、例えば１０組を１つに梱包して取り扱うといった、他数枚重ねての取り扱いに有利となる。
【００３７】
また、図１に示すように、気流制御ガイド６を、吸入口１よりも小さくすれば、折り畳んだ状態の集塵袋１００の被吸引側袋壁２の所定位置に、吸入口１を通じて気流制御ガイド６を後置きすることができる。
【００３８】
すると、吸入口１を通じ露出している付着周辺部６ｃを集塵袋１００の被吸引側袋壁２に対し取り付けることができる。すなわち、集塵袋１００の形成後の後付け作業で、気流制御ガイド６を被吸引側袋壁２の所定位置に配置させることができる。
【００３９】
これは、既製品の改良に有利であるし、既製品の製造ラインを変更することなく従来通りに形成した集塵袋１００に対し、気流制御ガイド６を後付けする工程を付加するか、別途行えばよく、製造ライン、製造工程の大掛かりな変更が不要になるという効果を奏する。従って、気流制御ガイド６の大きさは、吸入口１の直径の−１５％から吸入口１の直径未満であれば、より好適であると言える。
【００４０】
さらに、本実施の形態では、気流制御ガイド６と被吸引側袋壁２との間に、この被吸引側袋壁２の気流制御ガイド６との対向域２ａの集塵袋１００の外部から集塵袋１００内部に吸引が及ぶようにする通気部７を形成してある。この通気部７は、集塵袋１００全体の通気抵抗の低減に役立つとともに、集塵袋１００内の吸入風、反転気流の勢力が全く及ばない被吸引側袋壁２の気流制御ガイド６との対向域２ａにも、吸引力を及ばせることができる。この通気部７からの吸引力は、前記淀み領域１１にも及ぶので、微塵の捕集にも有効であり、早期目詰まりや、気流制御ガイド６による圧損を回避ないしは抑制することができる。
【００４１】
気流制御ガイド６は、被吸引側袋壁２に対する通気抵抗増大を伴い、吸入風に対する所定の案内ができればよく、その材質や成形方法は特に問うものではない。例えば、プラスチックシートの真空成形といった熱成形は、各種立体形状に簡単かつ安価に製造できる。気流制御ガイド６を回転自在に軸支する軸６ｘは、先端部の少し根元よりに一段細く形成した段つき部（図示せず）を形成しており、ポリプロピレンなどの成形によって構成し、ポリプロピレンなどの不織布よりなる集塵袋１００の被吸引側袋壁２に対し超音波溶着や熱溶着によって簡単に付着させることができる。
【００４２】
勿論、付着方法も特に問うものではなく、接着や縫合鋲止めなど他の方法によることもできる。気流制御ガイド６の中心に、軸６ｘの先端径より０．１から０．２ｍｍ程度小さい孔（図示せず）を形成し、その孔を、被吸引側袋壁２に付着した軸６ｘの先端部に無理に嵌めこむことによって、軸６ｘの段つき部に収まり、気流制御ガイド６を回転自在に支えることができる。このように簡単に構成することができる。
【００４３】
通気部７の被吸引側袋壁２からの浮き高さＨは、図９に示す通気圧力損失の実験結果（ｃ）、図１０に示す風量低下率実験結果（ｃ）での数値データを近似してイレギュラーなデータを除外して見た傾向性から、１ｍｍ〜３ｍｍ程度あれば好適である。しかし、１ｍｍ未満では、通気部７を通じた通気抵抗が高く通気不足を招き、３ｍｍを超えると通気部７を通じた通気が吸入風３の動圧による抜けを許して、対向域２ａの早期目詰まりの原因になってしまう。もっとも、浮きスペース４６の浮き高さは前記浮き高さＨ以上として問題がないし、被吸引側袋壁２の前記面外変形による浮き量を加算して満足すればよい。
図８に示す例の気流制御ガイド６は、軸６ｘの土台６ｖ部分の反対側から突出した脚リブ６ｆを、被吸引側袋壁２の内面２ｂに付着させて、気流制御ガイド６と被吸引側袋壁２との間にできる浮きスペース４６を常に形成する。この浮きスペース４６は、気流制御ガイド６の側方において集塵袋１００内に開放されており、通気部７を形成する。
【００４４】
従って、被吸引側袋壁２の吸引のされ方にかかわらず閉じられることはない。このような脚リブ６ｆは、樹脂材料をインジェクション成形するといった型成形が好適となる。このような脚リブ６ｆの突出量Ｈ１は、上記浮き高さＨの場合同様に１ｍｍ〜３ｍｍ程度が好適である。
【００４５】
以上のように構成された集塵袋１００を用いる図５に示すような電気掃除機２００は、図３に示すように、後部に電動送風機２１を内蔵した送風機室２２を、前部に塵埃３８を捕集する集塵袋１００を、図４に開いて示す上部蓋２６の開閉を伴い着脱できるように収納する集塵室２３を配した掃除機本体３００を備えている。送風機室２２の、集塵室２３との仕切壁２２ａには、電動送風機２１からの吸引を集塵室２３側に及ぼす吸引口２４が開口し、掃除機本体３００の後部に電動送風機２１からの送風を外部に排気する排気口８が開口している。
【００４６】
集塵室２３は、掃除機本体３００の前部に収納した集塵袋１００の吸入口１と繋がるホース接続口２５が開口し、送風機室２２の吸引口２４は、集塵室２３に収納した集塵袋１００の被吸引側袋壁２に対向して位置し、集塵室２３は、吸引口２４からの吸引が収納した集塵袋１００の被吸引側袋壁２および側周袋壁４の外まわりに及ぶように収納する。
【００４７】
この吸入口１とホース接続口２５との繋がりを確保するのに、集塵室２３の内面のホース接続口２５が開口している部分の両側に、吸入口１を有して集塵袋１００の吸入口側袋壁５に接着などして空気漏れのないよう固着ないしは貼合わせた厚手の口紙２８を上方から受け入れる口紙挿入部２９を有する。この口紙挿入部２９に口紙２８を上方から挿入することで、口紙２８がホース接続口２５の内側開口に設けたシール部材３１のシールリップ３１ａに圧着し、吸入口１がホース接続口２５に空気漏れのないように繋がる。なお、口紙２８の挿入状態は、上部蓋２６の側の押さえ片３０によって上方から保持されるのに併せ、シールリップ３１ａの側に押圧されて、上部の密着が甘くならないようにされている。
【００４８】
これにより、電動送風機２１が動作すると、電動送風機２１は、吸引口２４を通じた吸引を行い、排気口８に向い排気される送風を発生させる。このときの吸引口２４での吸引は、集塵室２３を通じ集塵袋１００の外まわりから吸入口１に及び、これに繋がるホース接続口２５、ホース接続口２５に接続パイプ３３を介し接続された図５に示すホース３２、ホース３２の先端に先端パイプ３４を介し接続された吸い込み具３５の図示しない吸い口に及ぶ。このとき、電気掃除機２００として、図５に示すように掃除機本体３００に接続した吸い込み具３５から塵埃３８が外気に乗じて吸い込まれて吸入口１から集塵袋１００内に吸入される吸入風３が発生する。
【００４９】
この集塵袋１００内に吸入される吸入風３は、集塵袋１００の吸入口１に対向する被吸引側袋壁２、特に、この被吸引側袋壁２に設けられた気流制御ガイド６の部分に向かい、気流制御ガイド６が通気抵抗となって受け止められて、そのガイド面６ｄの形状に応じた中央部から側周袋壁４の側に分流される作用が確保され、既述した集塵率と、被吸引側袋壁２の目詰まり防止効果の向上が図れる。
【００５０】
なお、吸入風３の吸入向きは、吸入口１から吸引口２４に向かう。本実施の形態では、吸入口１よりも上側に寄って開口している吸引口２４に向く斜め上方への流れとなるので
、この流れを受ける位置に気流制御ガイド６を配置している。もっとも、集塵袋１００の図１に示す折り畳み形態では、吸入口１と気流制御ガイド６との位置がほぼ同心に対応するようにしている。
【００５１】
ここで、送風機室２２の吸引口２４は、吸入風３によって押し付けられる集塵袋１００の被吸引側袋壁２を、通気を損なわずに吸引側から支持するために、図３、図４に示すように格子状などとした通気支持部２７を有している。そして、気流制御ガイド６以外が吸引口２４の範囲内で被吸引側袋壁２を不通気にしたり、通気抵抗増大部が形成されないようにしている。
【００５２】
併せて、集塵袋１００は、集塵室２３内で集塵袋１００の側周袋壁４の外まわり、特に、上部を優先して、ないしは左右や下部を含んで、集塵室２３との間に吸引通路４１を残すように上部蓋２６に設けたリブ４２などで外まわりから支持して収納するようにしている。
【００５３】
もっとも、専用の製造ラインを構築するような場合は、まず、袋材１００ａ、１００ｂを切り取る長尺のシートを連続搬送しながら、搬送途中で、一方に吸入口１を持った口紙２８を一定のピッチで貼着するのに併せ、他方に気流制御ガイド６を軸支する軸６ｘを、前記貼着される口紙２８の吸入口１に対応して一定のピッチで付着させ、気流制御ガイド６を嵌合する。そして、これらの工程後に両長尺シートを吸入口１および気流制御ガイド６とが対向し合うように合わせてから、両長尺シートどうしを袋材１００ａ、１００ｂ単位の周辺での封止を行って連続した集塵袋１００を形成する。
【００５４】
そして、最後に、連続して形成した各集塵袋１００を個々のものに裁断する、もしくは打ち抜いていくことでも効率よく製造することができる。この場合、気流制御ガイド６の正面形状や大きさが吸入口１との関係で制限されることはない。また、気流制御ガイド６の直径を吸入口１の直径と等しいかこれに近いものとすることで、吸入口１が気流制御ガイド６を後付けする場合の位置決め基準になるし、気流制御ガイド６との嵌め合せでそれを付着位置に位置決めすることができる。
【００５５】
また、気流制御ガイド６は、ガイド面６ｄの通気性が、集塵袋１００、特にその被吸引側袋壁２の通気性を上回る度合に応じ向ってくる吸入風３に対する分流機能が高まる。また、立体形状で分流を図るガイド面６ｄであれば立体の連続性によって多少通気性があっても、吸入風３の動圧の向きを、通気を抑えながら変えやすい傾向を示す。従って、気流制御ガイド６は、プラスチック成形品に限らず組織の密な、あるいは厚みのある不織布材料など、被吸引側袋壁２よりも通気抵抗の高い材料からなるものでもよい。
【産業上の利用可能性】
【００５６】
以上のように、本発明に係る電気掃除機用集塵袋は、吸入口からこれに対向する被吸引側袋壁に向かう吸入風を分流し、吸入口側に反転させる気流制御ガイドの簡単な改良によって、集塵率を低下させないで、被吸引側袋壁の目詰まり防止効果と、気流制御ガイドによる通気性低下の問題を抑制することができるもので、家庭用、業務用の各種電気掃除機に適用できる。
【符号の説明】
【００５７】
１  吸入口
２  被吸引側袋壁
２ａ  対向域
３  吸入風
３ａ  反転気流
４  側周袋壁
５  吸入口側袋壁
６  気流制御ガイド
６ｄ  ガイド面
６ｆ  脚リブ
６ｘ  軸
７  通気部
８  排気口
２１  電動送風機
２２ａ  仕切壁
２２  送風機室
２３  集塵室
２４  吸引口
２５  ホース接続口
２７  通気支持部
２８  口紙
２９  口紙挿入部
３０  押さえ片
３１  シール部材
４１  吸引通路
４２  リブ
１００  集塵袋
２００  電気掃除機
３００  掃除機本体
４００  突出部
【図１】
2011244975.tif 000003
【図２】
2011244975.tif 000004
【図３】
2011244975.tif 000005
【図４】
2011244975.tif 000006
【図５】
2011244975.tif 000007
【図６】
2011244975.tif 000008
【図７】
2011244975.tif 000009
【図８】
2011244975.tif 000010
【図９】
2011244975.tif 000011
【図１０】
2011244975.tif 000012